(57)【要約】【課題】  振り出し釣り竿の長さを自在に調整し固定する、振り出し釣り竿の長さ調整具を提供する。【解決手段】  任意の振り出し竿に対し、一端が元竿の玉口付近外周に、他端が元竿の前方に配置される連結管と、該連結管の元竿側端部を元竿に固定する固定機構と、前記連結管の前方側端部に螺合する袋ナットと、前記連結管の前方側端部と袋ナット間に配置された弾性パッキンとより構成され、前記弾性パッキンは袋ナットを締め付けることで圧縮され、内部径を小さくすることで継ぎ竿を押さえつけ長さ調整機構となるものであることを特徴とする。【選択図】    図１
2007020552.tif 000002
【特許請求の範囲】
【請求項１】
任意の振り出し竿に対し、一端が元竿の玉口付近外周に、他端が元竿の前方に配置される連結管と、該連結管の元竿側端部を元竿に固定する固定機構と、前記連結管の前方側端部に螺合する袋ナットと、前記連結管の前方側端部と袋ナット間に配置される弾性パッキンとより構成され、前記弾性パッキンは袋ナットを締め付けることで圧縮され、内部径を小さくすることで継ぎ竿を押さえつけ長さ調整機構となるものであることを特徴とする、振り出し釣り竿の長さ調整具。
【請求項２】
弾性パッキンがスリットを有するものであることを特徴とする請求項１記載の振り出し釣り竿の長さ調整具。
【請求項３】
連結管の前方側端部に着脱可能な栓を備えたことを特徴とする請求項１又は２記載の振り出し釣り竿の長さ調整具。
【発明の詳細な説明】
【技術分野】
【０００１】  本発明は、振り出し釣り竿の長さを自在に調整し固定する、振り出し釣り竿の長さ調整具に関するものである。
【背景技術】
【０００２】  従来、振り出し釣り竿は、元竿の筒内に収納された継ぎ竿を穂先より順に伸ばし継ぎ竿ごとに固定しながらすべての継ぎ竿を伸ばし使用する構造のため、任意の長さで固定し使用することはむずかしかった。
【発明の開示】
【発明が解決しようとする課題】
【０００３】  そのために、次のような問題点があった。
（イ）渓流釣りでは移動するたびに川巾や釣るポイントが変わり、また周辺には木が多く障害となり、すべての継ぎ竿を伸ばした状態では、安定した釣りを楽しむことがむずかしかった。
（ロ）本流の流れの中での釣りで、すべての継ぎ竿を伸ばした状態では、釣るポイントを替える為には移動しなければならず、足場が悪く川の流れがあるためむずかしかった。
本発明は、以上の問題点を解決するためになされたものである。
【課題を解決するための手段】
【０００４】  任意の振り出し竿に対し、一端が元竿の玉口付近外周に、他端が元竿の前方に配置される連結管と、該連結管の元竿側端部を元竿に固定する固定機構と、前記連結管の前方側端部に螺合する袋ナットと、前記連結管の前方側端部と袋ナット間に配置される弾性パッキンとより構成され、前記弾性パッキンは袋ナットを締め付けることで圧縮され、内部径を小さくすることで継ぎ竿を押さえつける長さ調整機構で構成される。【０００５】  弾性パッキンがスリットを有するものであることを特徴とする。【０００６】  連結管の前方側端部に着脱可能な栓を備えたことを特徴とする。
【発明の効果】
【０００７】  本発明は、振り出し釣り竿の長さを自在に調整し固定することにより、川巾や周囲の状況、釣るポイントに即対応し、安定した釣りが楽しめる。
スリット付弾性パッキン有することにより、元竿に固定された連結管先端側袋ナットをゆるめてわずかにずらすだけで、スリット付弾性パッキンの着脱が可能となり、継ぎ竿の固定がスムーズにできる。
着脱可能な栓を有することにより、釣行前に継ぎ竿と穂先を元竿に納めて栓をし、釣り場到着後、栓を連結管先端側袋ナットより外し、弾性パッキンに変え穂先、継ぎ竿と引き出し、任意の長さで固定することにより即釣りが楽しめる。
【発明を実施するための最良の形態】
【０００８】  以下、本発明の第一実施の形態についてを説明する。
本発明は図２に示すように連結管（１）と、元竿（２）側袋ナット（３ａ）と、帯状リング（４）と、弾性パッキン（５）と、先端側の袋ナット（３ｂ）とより構成される。
連結管（１）は、両端外周に雄螺子（６）が設けられたものであり、元竿側開口部内径は任意の元竿（２）の玉口（７）が挿入でき、先端側開口部は図３に示すように内径を若干小にした押縁（８）となっており、任意の継ぎ竿（９）の玉口（７）が挿入できるものである。
元竿側袋ナット（３ａ）は前記連結管（１）の雄螺子（６）に螺合する雌螺子（１０）が内部にもうけられている。また、図３に示すように元竿側袋ナット（３ａ）の開口部付近の内側には輪状に凹んだ抜け出し防止溝（１１）が設けられている。
帯状リング（４）は、一部側面が切りかかれた帯状のリングであり、図３に示すように連結管（１）に元竿（２）を挿入した際に、元竿（２）と元竿側袋ナット（３ａ）に設けられた抜け出し防止溝（１１）間に配置されるものであり、元竿側袋ナット（３ａ）を締めることで、連結管（１）開口部の縁により元竿（２）側に締めこまれるものである。
先端側の袋ナット（３ｂ）は、前記連結管（１）の雄螺子（６）に螺合する雌螺子（１０）が内部に設けられている。また、図３に示すように先端側開口部は内径を若干小にしたストッパー（１２）となっている。
弾性パッキン（５）は、図２に示すように輪状となっている。この際、弾性パッキン（５）の内径は元竿（２）内に収納された継ぎ竿（９）が通過するものであり、外径は先端側の袋ナット（３ｂ）に入るとともに、前記ストッパー（１２）により飛びだし防止となるものである。
本発明は以上の構成よりなる。
これを使用するときは、元竿側袋ナット（３ａ）の抜け出し防止溝（１０）に帯状リング（４）を設置し、軽く連結管（１）の元竿（２）側に螺合する。そして、元竿側袋ナット（３ａ）の開口部から元竿（２）を玉口（７）側から挿入し、連結管（１）に届く位置で元竿側袋ナット（３ａ）をきつく締め付けていく。この際連結管（１）端部と元竿側袋袋ナット（３ａ）の抜け出し防止溝（１１）により帯状リング（４）が締め付けられ、変形により元竿（２）を締め付け元竿（２）に連結管（１）が固定される。
次に前記弾性パッキン（５）の内径部に、元竿（２）内に収納された継ぎ竿（９）を穂先（１３）より引き出し、さらに連結管（１）、先端側袋ナット（３ｂ）の開口部より通過させた後、任意の位置で先端側袋ナット（３ｂ）をきつく締め付けていく。この際連結管（１）先端側袋ナット（３ｂ）ストッパー（１２）と連結管（１）先端押縁（８）との間に位置する弾性パッキン（５）が圧縮され内部径を小さくし任意の継ぎ竿（９）が固定される。【０００９】  以下、本発明の第二実施の形態についてを説明する。
本発明は図５に示すように弾性パッキン（５）の一部にスリット（１４）を有するものである。
これを使用するときは、元竿（２）に固定された連結管（１）の先端側開口と先端側袋ナット（３ｂ）開口部に継ぎ竿（９）を通過させ、先端側連結管（１）と先端側袋ナット（３ｂ）の間に弾性パッキン（５）のスリット（１４）を指で広げ、固定したい継ぎ竿（９）に設けた後に連結管（１）と先端側袋ナット（３ｂ）を螺合し継ぎ竿（９）を固定する。【００１０】  以下、本発明の第三実施の形態についてを説明する。
本発明は図７に示すように、円盤状で片側にはスポンジ状クッション（１５）を有す栓（１６）を設けたものである。この際、外径は先端側袋ナット（３ｂ）に入るとともに、前記ストッパー（１２）により飛びだし防止となるものである。
これを使用するときは、振り出し釣り竿不使用時に、先端側袋ナット（３ｂ）、弾性パッキン（５）を外し、継ぎ竿（９）と穂先（１３）を元竿（２）に仕舞い、先端側袋ナット（３ｂ）開口部より、クッション（１５）を連結管（１）側にし栓（１６）を納め、その後に連結管（１）の前方端部雄螺子（６）に先端側袋ナット（３ｂ）を螺合し栓（１６）を取り付ける。
【図面の簡単な説明】
【００１１】
【図１】    本発明の取付斜視図
【図２】    本発明の分解斜視図
【図３】    本発明の取付状態を示す一部を切り欠いた断面図
【図４】    本発明の取付位置図
【図５】    本発明のスリット付弾性パッキンの斜視図
【図６】    本発明の栓の斜視図
【図７】    本発明の栓の取付状態を示す一部を切り欠いた断面図
【図８】    本発明の栓を取付けた斜視図
【符号の説明】
【００１２】      １              連結管
２              元竿
３；３ａ；３ｂ  袋ナット
４              帯状リング
５              弾性パッキン
６              雄螺子
７              玉口
８              押縁
９              継ぎ竿
１０              雌螺子
１１              抜け出し防止溝
１２              ストッパー
１３              穂先
１４              スリット
１５              クッション
１６              栓
【図１】
2007020552.tif 000003
【図２】
2007020552.tif 000004
【図３】
2007020552.tif 000005
【図４】
2007020552.tif 000006
【図５】
2007020552.tif 000007
【図６】
2007020552.tif 000008
【図７】
2007020552.tif 000009
【図８】
2007020552.tif 000010